(57)【要約】【課題】既存のエスカレータチェーン自動給油器に取り付けるだけで容易に給油周期の制御範囲を拡大させることが可能なエスカレータチェーン自動給油器用補助コントローラを提供する。【解決手段】エスカレータチェーンへの給油を行うための給油ポンプ２へ、所定周期で所定時間長の電力出力により給油コントローラ１から電源線３を介して電力を供給し給油ポンプを動作させるエスカレータチェーン自動給油器の上記電源線に挿入され、上記給油コントローラからの電力出力から電力を得て、上記電源線の上記給油コントローラからの電力出力を設定された倍率の周期に伸ばして上記給油ポンプへ供給する。【選択図】図１
2006131351.tif 000002
【特許請求の範囲】
【請求項１】
エスカレータチェーンへの給油を行うための給油ポンプへ、所定周期で所定時間長の電力出力により給油コントローラから電源線を介して電力を供給し給油ポンプを動作させるエスカレータチェーン自動給油器の上記電源線に挿入され、上記給油コントローラからの電力出力から電力を得て、上記電源線の上記給油コントローラからの電力出力を設定された倍率の周期に伸ばして上記給油ポンプへ供給することを特徴とするエスカレータチェーン自動給油器用補助コントローラ。
【請求項２】
上記電源線の上記給油コントローラからの電力出力がある間、これを降圧して給電する電源部と、
上記給油コントローラからの電力出力があることを示す電力出力検出信号を発生する電力出力検出部と、
上記電源部を電源として動作する制御部と、
上記電源部を電源とし、上記電源線の上記給油コントローラからの電力出力を上記制御部からの給電指令信号に従って上記給油ポンプへ供給する電力出力制御部と、
を備え、
上記制御部が、
上記電力出力検出信号をカウントすることにより上記給油コントローラからの電力出力の回数を設定値までカウントし、カウント値が設定値に達する度に該電力出力検出信号がある期間、上記電力出力制御部へ上記給電指令信号を出力すると共にカウント値をリセットする電力出力周期調整手段と、
上記カウント値を記憶する書き換え可能な不揮発性記憶手段と、
を含み、
上記電力出力制御部が、上記給電指令信号がある期間、上記給油コントローラからの電力出力を上記給油ポンプへ供給する、
ことを特徴とする請求項１に記載のエスカレータチェーン自動給油器用補助コントローラ。
【請求項３】
上記制御部が、上記給電指令信号から給油時間を測定し、設定された判定基準時間未満であった場合には上記書き換え可能な不揮発性記憶手段のカウント値をリセットせずに設定値のままとする給油不足検出手段をさらに含み、
上記電力出力周期調整手段が、上記電力出力の回数をカウントする前に上記書き換え可能な不揮発性記憶手段を参照してカウント値が設定値である場合には該電力出力による上記電力出力検出信号に従って上記給電指令信号を出力する、
ことを特徴とする請求項２に記載のエスカレータチェーン自動給油器用補助コントローラ。
【請求項４】
上記電力出力周期調整手段の上記カウント値の設定値を変更して上記電力出力の周期の倍率を設定するための周期倍率設定スイッチと、
上記給油不足検出手段の給油不足を判定する上記判定基準時間を変更する給油不足判定基準時間設定スイッチと、
をさらに備えたことを特徴とする請求項３に記載のエスカレータチェーン自動給油器用補助コントローラ。
【発明の詳細な説明】
【技術分野】
【０００１】
この発明は、エスカレータチェーン自動給油器に係わり、特に既存のチェーン自動給油器に取り付けるだけで容易に給油の制御範囲を拡大させることが可能なチェーン自動給油器用補助コントローラに関する。
【背景技術】
【０００２】
従来、例えばエレベータチェーン自動給油器として、チェーンを駆動する駆動機の稼働時間のみをタイムカウントし該カウント時間が予め設定した稼働時間に達したことを条件に動作しその出力をポンプの起動指令として出力する第１の時限装置と、ポンプが起動した後予め設定した給油時間に達したことを条件にその出力をポンプの停止指令として出力する第２の時限装置とを備えたものがある(例えば特許文献１参照)。
【０００３】
【特許文献１】特開昭５８−２１０６２号公報
【発明の開示】
【発明が解決しようとする課題】
【０００４】
このような従来のエスカレータチェーン自動給油器では、例えば４８時間(２日間)の周期でチェーンに自動給油を行っているが、高性能オイルの導入により、給油周期を約５００時間に伸ばすことができるようになった。しかしながら既設のチェーン自動給油器では給油周期が最大でも１５０時間程度であり、過剰給油になってしまいオイルが無駄になったり、オイルタンクへのオイル補給回数が予定より減らず、高性能オイルを使うためのメリットが生かされないという問題があった。また、このためにチェーン自動給油器の給油コントローラを交換していたのでは、経費がかさむ等の問題があった。
【０００５】
この発明は、上記の課題を解消するためになされたもので、既存のエスカレータチェーン自動給油器に取り付けるだけで容易に給油周期の制御範囲を拡大させることが可能なエスカレータチェーン自動給油器用補助コントローラを提供することを目的とする。
【課題を解決するための手段】
【０００６】
この発明は、エスカレータチェーンへの給油を行うための給油ポンプへ、所定周期で所定時間長の電力出力により給油コントローラから電源線を介して電力を供給し給油ポンプを動作させるエスカレータチェーン自動給油器の上記電源線に挿入され、上記給油コントローラからの電力出力から電力を得て、上記電源線の上記給油コントローラからの電力出力を設定された倍率の周期に伸ばして上記給油ポンプへ供給することを特徴とするエスカレータチェーン自動給油器用補助コントローラにある。
【発明の効果】
【０００７】
この発明では、既存のエスカレータチェーン自動給油器に取り付けるだけで、新たな電源設備を設けることなく容易に給油周期の制御範囲を拡大させることができる。
【発明を実施するための最良の形態】
【０００８】
実施の形態１．
図１はこの発明によるエスカレータチェーン自動給油器用補助コントローラがエスカレータチェーン自動給油器に使用された状態の構成を示す図である。給油コントローラ１は例えば交流電源線からなる電源線３を介して、所定周期で所定時間長の矩形の電力出力(例えば４８時間周期で３分の時間長)を給油ポンプ２へ送り、給油ポンプ２はこの電力出力により電力を得てオイルタンクからオイルを吸い上げてチェーン(共に図示せず)に給油を行う。そして補助コントローラ４は、電源線３の給油コントローラ１と給油ポンプ２との間に挿入され、電力出力の周期の調整等を行う。
【０００９】
図２には給油コントローラ１および補助コントローラ４から出力される電力出力の一例を示す。(ａ)は例えば４８時間周期で３分の時間長の給油コントローラ１から出力される電力出力、(ｂ)は高性能オイルの給油周期の約５００時間に適用させるために(ａ)の電力出力の周期を１０倍にした４８０時間周期で３分の時間長の補助コントローラ４から出力される電力出力を示す。電力出力の時間長は、エスカレータチェーンが１周して全ての部分に給油を行うのに十分な長さで決まり、例えばエスカレータチェーンが１周するのが１分であれば余裕をみて例えば３分としている。
【００１０】
図３には補助コントローラ４の外観の一例を示す。メインスイッチＳＷ３は、補助コントローラ４が機能している運転モード(ＯＮ状態)と、補助コントローラ４の周期の調整等を含む機能が停止している例えばテストモード(ＯＦＦ状態)とを切替えるスイッチである。周期倍率設定スイッチＳＷ１は、電力出力の周期を変える際の倍率を設定するスイッチ、給油不足判定基準時間設定スイッチＳＷ２は、後述する給油ポンプ２での給油時間が設定された時間に満たない場合に給油不足と判定するための給油不足の判定基準時間を設定するスイッチである。さらに、給油コントローラ１から電力出力が供給されて電源がＯＮ状態にあることを示す電源表示ランプＥＤ１、給油中であることを示す給油表示ランプＥＤ２が設けられている。
【００１１】
図４には図３の補助コントローラ４の内部構成の一例を示す。電源線３のラインＬ１、Ｌ２からは給油コントローラ１から例えば図２の(ａ)に示すような電力出力が入力され、ラインＬ１、Ｌ３からは給油ポンプ２へ図２の(ｂ)に示すような周期が設定された倍率で伸ばされた電力出力が出力される。ラインＬ１、Ｌ２から得られた電力出力は変圧器４１で例えば１００Ｖから６Ｖへ降圧された後に整流器４２で整流されて直流の電源Ｖｃｃ(例えば５Ｖ)を得る。電源Ｖｃｃが得られている間、例えば発光ダイオードからなる電源表示ランプＥＤ１が点灯する。補助コントローラ４はこの電源Ｖｃｃがある期間、すなわち給油コントローラ１からの電力出力がある期間の間、動作する。
【００１２】
制御部４３はメモリ等を含むマイクロコンピュータからなり、端子ＲＡ２に入力されるメインスイッチＳＷ３からの信号が図示の状態の運転モードにある時(端子ＲＡ２が”Ｌ”の時)に、端子ＲＡ１０〜１７に入力される周期倍率設定スイッチＳＷ１からの周期倍率、給油不足判定基準時間設定スイッチＳＷ２からの判定基準時間、および端子ＲＡ３に入力される整流器４２の出力側から得られる給油コントローラ１からの電力出力を検出していることを示す電力出力検出信号ＳＧ１に従って、端子ＲＡ４からフォトトライアックカプラ４５に給電指令信号ＳＧ２を出力する。フォトトライアックカプラ４５では、給電指令信号ＳＧ２に従って発光素子４５ａが発光している間、受光素子４５ｂ(交流なので両方向)が導通し、給油コントローラ１からの電力出力を給油ポンプ２へ供給する。例えば発光ダイオードからなる給油表示ランプＥＤ２は給電指令信号ＳＧ２に従って給油期間の間、発光する。
【００１３】
制御部４３はさらに、クロックである発振器４３ａ、および後述する電力出力検出信号ＳＧ１ひいては給油コントローラ１からの電力出力のカウント値を記憶する、例えばフラッシュメモリからなる書き換え可能な不揮発性のメモリ４３ｂ(制御部４３に内蔵されているものに限定されない)を備える。
【００１４】
なお、変圧器４１、整流器４２が電源部を構成し、電力出力検出信号ＳＧ１の信号線が電力出力検出部を構成し、フォトトライアックカプラ４５および給電指令信号ＳＧ２の信号線が電力出力制御部を構成し、制御部４３が電力出力周期調整手段、給油不足検出手段を含む制御部を構成し、メモリ４３ｂが書き換え可能な不揮発性記憶手段を構成する。
【００１５】
図５には制御部４３の動作フローチャートを示し、以下これに従って動作を説明する。給油コントローラ１から図２の(ａ)に示した各電力出力が供給される度に、これが変圧器４１で降圧し整流器４２で整流して直流電力Ｖｃｃを得て制御部４３が起動する。そして電力出力が供給されていることでこれが検出されて電力出力検出信号ＳＧ１(端子ＲＡ３)が”Ｈ”レベルになる(ステップＳ１)。そしてメインスイッチＳＷ３が運転モード(端子ＲＡ２が”Ｌ”レベル)であれば(ステップＳ２)、メモリ４３ｂを参照し、記憶されている電力出力のカウント値が、前回の給油の際の給油時間が判定基準時間に満たないでカウント値がリセットされずに設定値あるいは設定値以上のままでなければ(ステップＳ３)、現在の電力出力のカウント値を＋１カウントアップし(ステップＳ４)、該カウント値が周期倍率設定スイッチＳＷ１により設定されている上述の設定値(例えば周期を１０倍にするのであれば設定値１０)に達していなければ、すなわち設定値以上でなければ(ステップＳ５)、メモリ４３ｂのカウント値を該カウント値に書き換え(ステップＳ６)、給油コントローラ１からの電力出力が無くなれば(ステップＳ７)、制御部４３の動作が停止し、次の電力出力を待つことになる。
【００１６】
そしてステップＳ５で、カウント値が設定値以上であると給電指令信号ＳＧ２が出力され(端子ＲＡ４が”Ｌ”レベル)、フォトトライアックカプラ４５の発光素子４５ａが発光することで受光素子４５ｂが導通状態になり、給油コントローラ１からの電力出力が給油ポンプ２へ供給されて給油が開始される(ステップＳ８)。給電指令信号ＳＧ２(”Ｌ”レベル)は電力出力検出信号ＳＧ１(”Ｈ”レベル)がある間出力されるため、この給油は電力出力検出信号ＳＧ１がある間、行われる。この間、給油時間が例えば給電指令信号ＳＧ２の出力時間に従ってカウントされ、給油時間が給油不足判定基準時間設定スイッチＳＷ２から設定された判定基準時間以上になれば(ステップＳ９)、メモリ４３ｂ内に記憶されている電力出力のカウント値を”０”にリセットし(ステップＳ１０)、給油コントローラ１からの電力出力が無くなれば(ステップＳ７)、制御部４３の動作が停止し、次の電力出力を待つことになる。
【００１７】
なお給油不足判定基準時間設定スイッチＳＷ２から設定された判定基準時間は、例えば実際に必要な給油時間が上述のように１分で、電力出力の時間長が３分である場合、これらの間の範囲にあればよいが、一例として２分３０秒に設定する。
【００１８】
そしてステップＳ９で、給油中に給油時間が判定基準時間に満たない前に例えば給油コントローラ１からの電力出力が停電等の原因で途絶え、電力出力検出信号ＳＧ１が停止(”Ｌ”レベル)し、これにより給電指令信号ＳＧ２が停止(端子ＲＡ４が”Ｈ”レベル)した場合には(ステップＳ１１)、メモリ４３ｂのカウント値は”０”にリセットされずにそのまま制御部４３の動作が停止する。
【００１９】
そしてこの状態で次の電力出力が供給されると、制御部４３が起動し、上述のステップＳ１、Ｓ２が実行され、その後、ステップＳ３で、メモリ４３ｂのカウント値が、上述の設定値あるいは設定値以上であれば、前回給油不足であったと判断され、即座にステップＳ８で給油が開始される。
【００２０】
なお図５のフローチャートには図示を省略したが、メインスイッチＳＷ３がテストモード(ＯＦＦ状態)にある時(端子ＲＡ２”Ｈ”レベル)は、給油コントローラ１から電力出力が供給されると電源Ｖｃｃが得られるために制御部４３は動作するが、電力出力の周期の調整等は行わずに、電力出力がある期間、電力出力検出信号ＳＧ１が出力(”Ｈ”レベル)されるので、給電指令信号ＳＧ２が出力(”Ｌ”レベル)されるため、フォトトライアックカプラ４５により、給油コントローラ１から電力出力が補助コントローラ４を素通しの状態でそのまま給油ポンプ２に供給される。
【００２１】
これにより、既存のエスカレータチェーン自動給油器の給油コントローラと給油ポンプとを接続する電源線に、給油コントローラからの電力出力で動作しかつ簡単な構造の電力出力の周期を調整するための補助コントローラを挿入するだけで、容易に高性能オイルの仕様に対応し高性能オイルのメリットが生かせるエスカレータチェーン自動給油器とすることができる。また、高性能オイルの仕様では特に給油周期が長いため、給油不足検出手段を設けることにより、油切れによる故障の発生が防止され信頼性が向上する。さらに、運転モードとテストモードの切り換えを行うスイッチにより、補助コントローラの周期の調整等の機能を停止させ、給油コントローラからの電力出力をそのまま給油ポンプに供給するようにして、補助コントローラを素通しの状態にすることもできる。さらに、周期倍率設定スイッチおよび給油不足判定基準時間設定スイッチで周期倍率、給油不足判定基準時間をそれぞれに調整して設定できるので、種々の機種、状況に対応できる。
【図面の簡単な説明】
【００２２】
【図１】この発明によるエスカレータチェーン自動給油器用補助コントローラがエスカレータチェーン自動給油器に使用された状態の構成を示す図である。
【図２】図１の給油コントローラおよび補助コントローラから出力される電力出力の一例を示す図である。
【図３】図１の補助コントローラの外観の一例を示す図である。
【図４】図３の補助コントローラ４の内部構成の一例を示す図である。
【図５】図４の制御部の動作フローチャートである。
【符号の説明】
【００２３】
１  給油コントローラ、２  給油ポンプ、３  電源線、４  補助コントローラ、４１  変圧器、４２  整流器、４３  制御部、４３ａ  発振器、４３ｂ  メモリ、４５  フォトトライアックカプラ、４５ａ  発光素子、４５ｂ  受光素子、ＥＤ１  電源表示ランプ、ＥＤ２  給油表示ランプ、ＲＡ２〜４，ＲＡ１０〜１７  端子、ＳＧ１  電力出力検出信号、ＳＧ２  給電指令信号、ＳＷ１  周期倍率設定スイッチ、ＳＷ２  給油不足判定基準時間設定スイッチ、ＳＷ３  メインスイッチ。
【図１】
2006131351.tif 000003
【図２】
2006131351.tif 000004
【図３】
2006131351.tif 000005
【図４】
2006131351.tif 000006
【図５】
2006131351.tif 000007